(57)【要約】【課題】化粧ボタン孔に対して操作ボタンを適切な位置に容易に配置できる記録再生装置の提供。【解決手段】記録再生装置に、操作ボタン１５２を露出させるパネルボタン挿通孔１２１を有する正面パネル１２０と、操作ボタン１５２が設けられたボタン台座１４１と、このボタン台座１４１を左右方向へ移動可能に支持する台座支持部１２３と、ボタン台座１４１を右方向へ付勢する樹脂ばね１２２と、パネル裏面１２０Ａに対して略直交する方向へ移動可能な可動部１７０と、この可動部１７０に当接する状態でボタン台座１４１に設けられ可動部１７０の移動に応じて左右方向へ案内される台座案内部１４７と、を設けた。【選択図】図４
2009146814.tif 000002
【特許請求の範囲】
【請求項１】
操作子と、ケース体の正面に設けられる正面パネルと、この正面パネルに設けられ前記操作子を露出させる操作子露出孔と、を備えた電子機器であって、
前記正面パネルの裏面に配置され前記操作子が設けられた操作子台座と、
この操作子台座を少なくとも一軸に沿った方向に往復自在に支持する台座支持部と、
前記操作子台座を移動可能な方向のうちの一方向に付勢する付勢部と、
前記正面パネルに対して所定方向に移動可能に設けられた可動部と、
この可動部に当接する状態で前記操作子台座に固定され、前記可動部の移動に応じて前記付勢部による付勢方向およびこの付勢方向と反対方向のうち少なくとも一方の方向へ案内される台座案内部と、
を具備したことを特徴とする電子機器。
【請求項２】
請求項１に記載の電子機器において、
前記可動部は、前記正面パネルの裏面と交差する方向に移動可能に設けられ、
前記可動部および前記台座案内部のうち一方は、前記可動部の移動方向とのなす角度が鋭角となる状態に傾斜した形状を有し他方に当接する傾斜部を備え、
前記傾斜部は、前記可動部および前記台座案内部のうち他方との当接部分を傾斜に沿って移動させることで前記可動部の運動を前記付勢方向と反対方向への運動へ変換し、
前記台座案内部は、前記傾斜部で変換された運動により前記反対方向へ案内されることを特徴とする電子機器。
【請求項３】
請求項２に記載の電子機器において、
前記可動部は、前記正面パネルに螺合されるねじ溝を有し外形が略筒状のねじ部と、このねじ部の螺合に応じて移動可能な螺合連動移動部と、を備え、
前記傾斜部は、前記螺合連動移動部および前記台座案内部のうち一方に設けられた
ことを特徴とする電子機器。
【請求項４】
請求項３に記載の電子機器において、
前記可動部は、前記ねじ部およびこのねじ部の一端に設けられたねじ頭部を有するねじ部材と、このねじ部材と別体の前記螺合連動移動部と、を備えた
ことを特徴とする電子機器。
【請求項５】
請求項１から請求項４のいずれかに記載の電子機器において、
前記付勢部は、前記正面パネルと一体成型された板ばねである
ことを特徴とする電子機器。
【請求項６】
請求項５に記載の電子機器において、
前記板ばねは、前記正面パネルの裏面と略直交する方向に延びる状態で設けられた
ことを特徴とする電子機器。
【請求項７】
前記正面パネルは、略長方形板状に形成され、
前記台座支持部は、前記操作子台座を前記正面パネルの長手方向に沿った方向に往復自在に支持する
ことを特徴とする電子機器。
【発明の詳細な説明】
【技術分野】
【０００１】
本発明は、正面パネルの操作子露出孔から露出される操作子を備えた電子機器に関する。
【背景技術】
【０００２】
従来、電子機器として、正面パネルの操作子露出孔から露出される操作子を備えた構成が知られている（例えば、特許文献１参照）。
この特許文献１に記載のものは、トレイ開閉ボタンを有するイジェクト部材にボス孔を設けている。そして、イジェクト部材をフロントケースにボス孔により固定して、トレイ開閉ボタンをフロントケースの孔から外部に露出させる構成が採られている。
【０００３】
【特許文献１】特開２００６−３１８５５６号公報
【発明の開示】
【発明が解決しようとする課題】
【０００４】
しかしながら、特許文献１のような構成では、外観に介在する部品が多い場合、例えば正面パネルの前面にさらに意匠性が高いパネルを設ける場合、外観面に対する操作子の位置精度を出すのが困難である。この位置精度を高めるためには、各部品の精度に依存せざるを得ないが、部品製造に複数の金型が介在することが多く、精度を高めることは困難である。
また、製造時に操作子が孔に対してずれている場合、正面パネルと操作子を支持する部材との間にスペーサを配置して、操作子を傾かせることで見かけ上の位置精度を出すことも考えられる。しかし、操作子が傾いているため見た目が悪く、製造ロットごとにスペーサの配置条件やサイズも変化してしまい量産性が落ちてしまう。
これらのことから、正面パネルから露出される操作子を適切な位置に容易に配置可能な構成が望まれている。
【０００５】
本発明は、正面パネルから露出される操作子を適切な位置に容易に配置可能な電子機器を提供することを１つの目的とする。
【課題を解決するための手段】
【０００６】
請求項１に記載の発明は、操作子と、ケース体の正面に設けられる正面パネルと、この正面パネルに設けられ前記操作子を露出させる操作子露出孔と、を備えた電子機器であって、前記正面パネルの裏面に配置され前記操作子が設けられた操作子台座と、この操作子台座を少なくとも一軸に沿った方向に往復自在に支持する台座支持部と、前記操作子台座を移動可能な方向のうちの一方向に付勢する付勢部と、前記正面パネルに対して所定方向に移動可能に設けられた可動部と、この可動部に当接する状態で前記操作子台座に固定され、前記可動部の移動に応じて前記付勢部による付勢方向およびこの付勢方向と反対方向のうち少なくとも一方の方向へ案内される台座案内部と、を具備したことを特徴とする電子機器である。
【発明を実施するための最良の形態】
【０００７】
以下、本発明の一実施形態を図面に基づいて説明する。
なお、本実施形態では、電子機器としての記録再生装置を例示して説明する。
【０００８】
［記録再生装置の構成］
まず、記録再生装置の構成について説明する。
図１は、本発明の一実施形態に係る記録再生装置の概略構成を示す斜視図である。図２は、ボタン部の調整作業が終了した状態を示す正面パネルの表面側からの斜視図である。図３は、ボタン部の調整作業が終了した状態を示す正面パネルの裏面側からの斜視図である。図４は、ボタン部の調整作業が終了した状態を示す図３のIV−IV線に沿った断面図である。
【０００９】
図１に示すように、電子機器としての記録再生装置１００は、正面が開口したケース体１１０と、このケース体１１０の正面に設けられた正面パネル１２０と、この正面パネル１２０の外面に取り付けられる化粧板２１０と、を備えている。
【００１０】
ケース体１１０は、例えば樹脂材により形成されている。このケース体１１０の内部には、図示しない光ディスクに対する情報の記録再生処理をするディスク装置１１１や、各種情報を表示する表示装置１１２などが配置されている。
【００１１】
化粧板２１０は、例えばアルミ材やアクリル樹脂などにより長方形板状に形成されている。この化粧板２１０の長手方向（左右方向）両側には、後述する操作ボタン１５２が挿通される円形状の化粧ボタン孔２１１がそれぞれ設けられている。この化粧ボタン孔２１１は、径寸法が操作ボタン１５２よりも若干大きい形状を有している。また、化粧ボタン孔２１１の間には、図示しない端子を露出させるための第１の開口２１２と、ディスク装置１１１を露出させるための第２の開口２１３と、表示装置１１２を露出させるための第３の開口２１４とがそれぞれ設けられている。
【００１２】
正面パネル１２０は、図２および図３に示すように、例えばポリスチレンやＡＢＳ樹脂などにより背面側が開口された断面略コ字状に形成されている。ここで、正面パネル１２０の各構成の説明において、方向を述べるときは、正面パネル１２０の裏面１２０Ａ（以下、パネル裏面１２０Ａと称す）側から見た方向を基準にする。
【００１３】
正面パネル１２０における化粧板２１０の第１〜第３の開口２１２〜２１４に対応する位置には、これらと略同一形状の図示しない開口部が設けられている。また、正面パネル１２０における化粧ボタン孔２１１に対応する位置にも、化粧ボタン孔２１１と略同一形状の操作子露出孔としてのパネルボタン挿通孔１２１が設けられている。
【００１４】
また、パネル裏面１２０Ａには、図３および図４に示すように、このパネル裏面１２０Ａと一体的に形成された、付勢部である樹脂ばね１２２と、台座支持部１２３と、調整螺合部１２７と、２個の固定螺合部１２８と、が設けられている。
【００１５】
樹脂ばね１２２は、長方形板状に形成され、パネルボタン挿通孔１２１の左側に設けられている。また、樹脂ばね１２２は、パネル裏面１２０Ａと略直交する方向に延びる状態（図５参照）で設けられている。
【００１６】
台座支持部１２３は、支持基部１２４と、２個の支持ピン１２５と、２個の支持延出部１２６と、を備えている。
支持基部１２４は、パネルボタン挿通孔１２１の周囲を覆う四角枠状に形成され、一つの辺が正面パネル１２０の上辺と平行となり、かつ、他の一つの辺がパネルボタン挿通孔１２１と樹脂ばね１２２との間に位置するように設けられている。
支持ピン１２５は、丸棒状に形成され、支持基部１２４の上辺部分の左右両端側において、パネル裏面１２０Ａと略直交する方向に延びるように設けられている。
２個の支持延出部１２６のうち一方は、支持基部１２４の左上端側から左側に延びるように設けられ、他方は、支持基部１２４の右下端側から右側に延びるように設けられている。
【００１７】
調整螺合部１２７は、内周面に図示しないねじ溝が形成された略円筒状に形成され、支持基部１２４の右側において、パネル裏面１２０Ａと略直交する方向に延びるように設けられている。
【００１８】
固定螺合部１２８は、調整螺合部１２７と同様の構成を有し、パネル裏面１２０Ａと略直交する方向に延びるように設けられている。２個の固定螺合部１２８のうち一方は、左上端の支持延出部１２６の上側に設けられ、他方は、右下の支持延出部１２６の下側に設けられている。
【００１９】
また、パネル裏面１２０Ａには、例えば正面パネル１２０と同じ材料で形成されたボタン部１４０が設けられている。
このボタン部１４０は、台座支持部１２３の支持基部１２４と略等しい四角枠状に形成された操作子台座としてのボタン台座１４１を備えている。このボタン台座１４１は、支持基部１２４に重なる状態で設けられる
このボタン台座１４１の上辺の両端側には、長孔状の２個のピン挿通孔１４２が設けられている。このピン挿通孔１４２は、左右方向の寸法が支持ピン１２５の径寸法よりも十分に大きく、かつ、上下方向の寸法が支持ピン１２５の径寸法よりも若干の大きい形状に形成されている。
また、ボタン台座１４１における２個の支持延出部１２６に対応する位置には、それぞれの支持延出部１２６と略等しい形状の２個の台座延出部１４３が設けられている。
【００２０】
さらに、ボタン台座１４１の左辺には、パネル裏面１２０Ａと略直交する方向に延びる付勢側板部１４４が設けられている。そして、この付勢側板部１４４の外側面には、樹脂ばね１２２に向かって延びる略長方形板状の付勢当接部１４５が設けられている。
また、ボタン台座１４１の右辺には、付勢側板部１４４と略等しい形状の調整側板部１４６が設けられている。そして、この調整側板部１４６の外側面には、調整螺合部１２７に向かって延びる略板状の台座案内部１４７が設けられている。この台座案内部１４７の延出方向先端には、パネル裏面１２０Ａに近づくにしたがって、調整側板部１４６から離れるように傾斜する傾斜部としての傾斜面部１４８を備えている。
さらに、ボタン台座１４１の上辺には、付勢側板部１４４と略等しい形状の上側板部１４９が設けられている。
【００２１】
また、ボタン台座１４１の上辺の両側には、下辺側に向けて延びる２個の連結部１５０が設けられている。そして、この連結部１５０の延出先端には、ボタン台座１４１の内部領域よりも小さい外形状を有するボタン基部１５１が連結されている。
このボタン基部１５１には、略中央から突出する操作子としての操作ボタン１５２が設けられている。
操作ボタン１５２は、パネルボタン挿通孔１２１および化粧ボタン孔２１１の径寸法よりも小さい径寸法を有し、突出先端側の面が閉塞された円筒状に形成されている。また、操作ボタン１５２は、パネルボタン挿通孔１２１および化粧ボタン孔２１１に挿通されたときに、その先端面が化粧板２１０の正面と略同一面上に位置する形状に形成されている。
さらに、ボタン基部１５１の下辺側には、円柱状に形成され、操作ボタン１５２と逆方向に突出するスイッチ押圧部１５３が設けられている。
【００２２】
そして、ボタン部１４０は、ピン挿通孔１４２に支持ピン１２５が挿通され、かつ、ボタン台座１４１が支持基部１２４に載置されることで、台座支持部１２３により左右方向のみに往復自在に支持される。つまり、ボタン部１４０は、パネルボタン挿通孔１２１および化粧ボタン孔２１１に対する操作ボタン１５２の位置を調整できるように支持される。さらに、この支持の際、付勢当接部１４５が樹脂ばね１２２を左方向に押して弾性変形させる。そして、ボタン部１４０は、樹脂ばね１２２の弾性変形の反力により、矢印Ｆ１で示すように、右方向へ付勢される。
なお、操作ボタン１５２が利用者により押されると、連結部１５０を中心にボタン基部１５１が回動して、スイッチ押圧部１５３が図示しないスイッチを押圧する。
【００２３】
また、調整螺合部１２７には、正面パネル１２０に対して略直交する方向に移動可能に設けられた可動部１７０が設けられる。この可動部１７０は、調整ねじ部材１８０と、螺合連動移動部としてのスライド部材１９０と、を備えている。
【００２４】
調整ねじ部材１８０は、例えば金属により形成され、調整螺合部１２７に螺合されるねじ溝１８１を有するねじ部１８２と、ねじ頭部１８３と、を備えている。
【００２５】
スライド部材１９０は、樹脂材により形成されている。このスライド部材１９０は、調整螺合部１２７を内部に挿通可能な略筒状のスライド基部１９１を備えている。このスライド基部１９１の一端（以下、スライド上端と称す）における内周面には、内側に向かって突出する内側突部１９２が周方向に沿って一連に設けられている。さらに、このスライド上端の外周面には、外側に向かって突出する外側突部１９３が周方向に沿って一連に設けられている。また、この外側突部１９３の突出先端におけるスライド下端には、円弧面状の円弧面部１９４が周方向に沿って一連に設けられている。
【００２６】
そして、このスライド部材１９０は、スライド基部１９１の内部に調整螺合部１２７が挿通され、かつ、円弧面部１９４がボタン部１４０の傾斜面部１４８に当接する状態で設けられる。さらに、このスライド部材１９０の内側突部１９２の上に、ワッシャ１８５を介して調整ねじ部材１８０が配置される。そして、この調整ねじ部材１８０が調整螺合部１２７に螺合されることで、スライド部材１９０は、パネル裏面１２０Ａと略直交する方向に移動する。
【００２７】
また、固定螺合部１２８には、図示しない雄ねじ部と、ねじ頭部２０１とを有する固定ねじ部材２００が螺合される。この固定ねじ部材２００が固定螺合部１２８に螺合されると、ねじ頭部２０１と、支持延出部１２６とにより、台座延出部１４３を狭持する。この狭持により、ボタン部１４０が固定される。
【００２８】
［ボタン部の取付作業および調整作業］
次に、ボタン部１４０を正面パネル１２０に取り付ける作業、および、ボタン部１４０の調整作業について説明する。
図５は、ボタン部を正面パネルに取り付ける前の状態を示す断面図である。図６は、ボタン部の調整作業を実施する前の状態を示す断面図である。
【００２９】
まず、作業者は、図５に示すように、正面パネル１２０のパネル裏面１２０Ａ側に、ボタン部１４０を位置させる。このとき、樹脂ばね１２２は、ボタン部１４０の付勢当接部１４５により弾性変形させられていないので、パネル裏面１２０Ａと略直交する状態で設けられている。
次に、ボタン部１４０のピン挿通孔１４２に支持ピン１２５を挿通させる。
この状態では、付勢当接部１４５と樹脂ばね１２２とが当接し、かつ、ボタン台座１４１と支持基部１２４とが離れた状態となり、ボタン部１４０は、その重量により樹脂ばね１２２を左方向に若干弾性変形させる。
【００３０】
この後、可動部１７０を調整螺合部１２７に取り付ける。具体的には、図６に示すように、スライド部材１９０の内部に調整螺合部１２７を挿通させ、円弧面部１９４をボタン部１４０の傾斜面部１４８に当接させる。そして、調整ねじ部材１８０のねじ部１８２を、スライド部材１９０に挿通させて調整螺合部１２７に螺合させる。
このように調整ねじ部材１８０が螺合されると、ボタン台座１４１が支持基部１２４上に載置され、樹脂ばね１２２は、さらに左方向に弾性変形する。そして、ボタン部１４０は、樹脂ばね１２２の弾性変形の反力により矢印Ｆ１で示す右方向へ付勢されるとともに、傾斜面部１４８と円弧面部１９４との当接により右方向への付勢が妨げられることで、樹脂ばね１２２と円弧面部１９４とで挟み込まれる状態で位置決めされる。
【００３１】
そして、図６に示すように、操作ボタン１５２とパネルボタン挿通孔１２１との間隔が左右で異なり、かつ、操作ボタン１５２と化粧ボタン孔２１１との間隔も左右で異なっている場合、両者の間隔の調整作業を実施する。
【００３２】
例えば、操作ボタン１５２を左方向へ移動させたい場合、可動部１７０をパネル裏面１２０Ａに近づく方向（以下、パネル近接方向と称す）へ移動させる。
つまり、調整ねじ部材１８０の螺合によりスライド部材１９０をパネル近接方向へ移動させると、傾斜面部１４８は、円弧面部１９４との当接部分を傾斜に沿ってパネル近接方向へ移動させることで、スライド部材１９０のパネル近接方向への運動を左方向（樹脂ばね１２２の付勢方向と反対方向）への運動へ変換する。
そして、この変換された運動により、ボタン部１４０が樹脂ばね１２２の付勢に反して左方向へ付勢されるとともに、樹脂ばね１２２がさらに左方向へ弾性変形する。そして、結果的に、ボタン部１４０は、左方向へ移動して、この移動後の位置において樹脂ばね１２２と円弧面部１９４とで位置決めされる。
【００３３】
また、操作ボタン１５２を右方向へ移動させたい場合、可動部１７０をパネル裏面１２０Ａから離れる方向（以下、パネル離間方向と称す）へ移動させる。
このように移動させると、傾斜面部１４８は、円弧面部１９４との当接部分を傾斜に沿ってパネル離間方向へ移動させることで、ボタン部１４０を樹脂ばね１２２の付勢により右方向へ移動可能な状態へと移行させる。そして、結果的に、ボタン部１４０は、右方向へ移動して、この移動後の位置において樹脂ばね１２２と円弧面部１９４で位置決めされる。
【００３４】
以上のような作業により操作ボタン１５２を左右に移動させ、操作ボタン１５２とパネルボタン挿通孔１２１との間隔を調整することで、操作ボタン１５２を化粧ボタン孔２１１に対して適切な位置に調整する。
この後、ねじ部材２００を固定螺合部１２８に螺合させて、ボタン部１４０を強固に固定する。
【００３５】
［記録再生装置の作用効果］
以上の記録再生装置１００によれば、以下の作用効果が期待できる。
【００３６】
（１）記録再生装置１００に、操作ボタン１５２を露出させるパネルボタン挿通孔１２１を有する正面パネル１２０と、操作ボタン１５２が設けられたボタン台座１４１と、このボタン台座１４１を左右方向へ移動可能に支持する台座支持部１２３と、ボタン台座１４１を右方向へ付勢する樹脂ばね１２２と、パネル近接方向およびパネル離間方向へ移動可能な可動部１７０と、この可動部１７０に当接する状態でボタン台座１４１に設けられ可動部１７０の移動に応じて左右方向へ案内される台座案内部１４７と、を設けている。
このため、可動部１７０をパネル近接方向へ移動させることで、樹脂ばね１２２の付勢に反して、台座案内部１４７を介してボタン台座１４１を左方向へ移動させることができる。また、可動部１７０をパネル離間方向へ移動させることで、樹脂ばね１２２の付勢によりボタン台座１４１を右方向へ移動させることができる。そして、この移動後の位置において、樹脂ばね１２２と可動部１７０とにより、ボタン台座１４１を位置決めすることができる。
したがって、正面パネル１２０やボタン部１４０の位置精度を高めたり、スペーサを配置したりしなくても、ボタン部１４０の取り付け後に上記のような調整作業を施すことにより、パネルボタン挿通孔１２１や化粧ボタン孔２１１に対して操作ボタン１５２を適切な位置に容易に配置できる。
また、一般的に、操作ボタン１５２と化粧ボタン孔２１１との間隔が小さいほど、デザイン性が高いとされている。本発明を用いることにより、両者の間隔が小さい構成においても、操作ボタン１５２を適切な位置に調整でき、デザイン性が高い記録再生装置１００を提供できる。
【００３７】
（２）可動部１７０を、パネル近接方向へ移動可能に構成している。そして、台座案内部１４７に、可動部１７０との当接部分を傾斜に沿って移動させることで、パネル近接方向への運動を左方向への運動へ変換する傾斜面部１４８を設けている。
このため、パネル裏面１２０Ａと略直交する方向から可動部１７０を操作することができ、作業性を向上できる。
【００３８】
（３）可動部１７０に、調整螺合部１２７に螺合されるねじ部１８２と、このねじ部１８２の螺合に応じて移動可能なスライド部材１９０と、を設けている。
このため、ねじ部１８２の螺合により、スライド部材１９０を連続的に移動させることができ、操作ボタン１５２をより高精度に位置調整できる。
【００３９】
（４）可動部１７０を、調整ねじ部材１８０と、スライド部材１９０と、で構成している。
このため、スライド部材１９０を調整ねじ部材１８０と異なる材料である樹脂材で形成することができる。したがって、スライド部材１９０を調整ねじ部材１８０と同じ材料の金属で形成する構成と比べて、スライド部材１９０との当接により傾斜面部１４８を変形させる可能性を低くすることができる。
【００４０】
（５）樹脂ばね１２２を、正面パネル１２０と一体成型している。
このため、部品点数を減らすことができ、部品管理を容易にできるとともに、製造性を向上できる。
【００４１】
（６）樹脂ばね１２２を、パネル裏面１２０Ａと略直交する方向に延びる状態で設けている。
このため、樹脂ばね１２２をパネル裏面１２０Ａと鈍角をなす方向に延びる状態で設ける構成と比べて、正面パネル１２０の一体成型に用いる金型の形状を簡略にできる。
【００４２】
（７）台座支持部１２３により、ボタン部１４０を左右方向、つまり正面パネル１２０の長手方向に往復自在に支持している。
このため、特に成型時に位置ずれが発生し易い正面パネル１２０の長手方向に沿って、操作ボタン１５２を移動可能にしているので、記録再生装置１００の薄型化と、デザイン性の向上との両立を図ることができる。
【００４３】
（８）固定螺合部１２８と、この固定螺合部１２８に螺合される固定ねじ部材２００と、を設けている。
このため、両者の取り付けにより、ねじ頭部２０１と、支持延出部１２６とで台座延出部１４３を狭持することができ、ボタン部１４０をより強固にパネル正面１２０に固定することができる。
【００４４】
［他の実施形態］
なお、本発明は前述の一実施形態に限定されるものではなく、本発明の目的を達成できる範囲での変形、改良等は本発明に含まれるものである。
【００４５】
すなわち、本発明の可動部として、楕円形板状に形成されボタン台座１４１に当接するいわゆる偏心カムと、パネル裏面１２０Ａと略直交する方向に延び偏心カムを回転させる軸部と、を適用してもよい。このような構成にすれば、以下のようにして、ボタン部１４０を位置調整できる。つまり、偏心カムを回転させることで、この回転運動を左右方向への運動へ変換して、ボタン部１４０を左右方向へ移動させる。そして、固定ねじ部材２００と固定螺合部１２８との螺合により、ボタン部１４０を固定することができる。ここで、偏心カムを回転させる構成が、本発明における可動部を正面パネルに対して所定方向に移動可能に設ける構成に対応する。
なお、このような構成では、台座案内部１４７に傾斜面部１４８を設ける必要がなくなり、ボタン部１４０を成型するための金型の形状を簡略にできる。
【００４６】
また、スライド部材１９０の周方向に沿って、このスライド部材１９０の移動方向とのなす角度が鋭角となる状態に傾斜した本発明の傾斜部を設け、台座案内部１４７に傾斜面部１４８を設けない構成としてもよい。このような構成では、スライド部材１９０の傾斜部は、スライド部材１９０がパネル近接方向へ移動したときに、台座案内部との当接部分を傾斜に沿ってパネル離間方向へ移動させることで、ボタン部１４０を左方向へ移動させることができる。
【００４７】
さらに、調整ねじ部材１８０の代わりにねじ溝を有さない圧入部材を適用するとともに、調整螺合部１２７の代わりに圧入部材を圧入可能な圧入部を設ける。そして、圧入部材の移動に応じて、スライド部材１９０を移動させる構成としてもよい。
また、スライド部材１９０を用いずに、調整ねじ部材１８０のねじ頭部１８３を上記実施形態よりも大きくして、このねじ頭部１８３を傾斜面部１４８に当接させる構成としてもよい。
また、樹脂ばね１２２を、正面パネル１２０と一体成型しなくてもよいし、パネル裏面１２０Ａと鈍角をなす方向に延びる状態で設けてもよい。さらに、本発明の付勢部としては、樹脂ばね１２２に限らず、金属製の板ばねやコイルばねを適用してもよい。
そして、台座支持部１２３によりボタン部１４０を上下方向、つまり正面パネル１２０の短手方向に往復自在に支持してもよい。また、固定螺合部１２８と、固定ねじ部材２００とを設けなくてもよい。
【００４８】
さらに、操作ボタン１５２を、その先端面が化粧板２１０の正面と略同一面上に位置する形状に形成したが、先端面が化粧板２１０から突出する形状、正面パネル１２０の表面と略同一面上に位置する形状、正面パネル１２０の表面よりもパネル裏面１２０Ａ側に位置する形状としてもよい。
また、本発明の操作子としては、外形円筒状のものに限らず、外形角筒状のものや、いわゆる十字キーを適用してもよい。さらに操作子としては、筒状の周方向に回転させることで操作されるものを適用してもよい。
そして、本発明を適用する電子機器としては、記録装置、再生装置、テレビジョン、ラジオ、ナビゲーション装置、携帯式や設置式の電話、電子レンジなどの家電機器などとしてもよい。さらには、化粧板２１０を有さない記録再生装置１００に、本発明を適用してもよい。
【００４９】
その他、本発明の実施の際の具体的な構造および手順は、本発明の目的を達成できる範囲で他の構造などに適宜変更できる。
【００５０】
［実施形態の作用効果］
上記したように、記録再生装置１００に、正面パネル１２０と、ボタン台座１４１と、台座支持部１２３と、樹脂ばね１２２と、可動部１７０と、台座案内部１４７と、を設けているので、可動部１７０をパネル裏面１２０Ａに近づく方向へ移動させることで、樹脂ばね１２２の付勢に反して、台座案内部１４７を介してボタン台座１４１を左方向へ移動させることができる。また、可動部１７０をパネル裏面１２０Ａから離れる方向へ移動させることで、樹脂ばね１２２の付勢によりボタン台座１４１を右方向へ移動させることができる。そして、この移動後の位置において、樹脂ばね１２２と可動部１７０とにより、ボタン台座１４１を位置決めすることができる。
したがって、正面パネル１２０やボタン部１４０の位置精度を高めたり、スペーサを配置したりしなくても、ボタン部１４０の取り付け後に上記のような調整作業を施すことにより、パネルボタン挿通孔１２１や化粧ボタン孔２１１に対して操作ボタン１５２を適切な位置に容易に配置できる。
【図面の簡単な説明】
【００５１】
【図１】本発明の一実施形態に係る記録再生装置の概略構成を示す斜視図である。
【図２】前記一実施形態におけるボタン部の調整作業が終了した状態を示す正面パネルの表面側からの斜視図である。
【図３】前記一実施形態におけるボタン部の調整作業が終了した状態を示す正面パネルの裏面側からの斜視図である。
【図４】前記一実施形態におけるボタン部の調整作業が終了した状態を示す図３のIV−IV線に沿った断面図である。
【図５】前記一実施形態におけるボタン部を正面パネルに取り付ける前の状態を示す断面図である。
【図６】前記一実施形態におけるボタン部の調整作業を実施する前の状態を示す断面図である。
【符号の説明】
【００５２】
１００…電子機器としての記録再生装置
１１０…ケース体
１２０…正面パネル
１２０Ａ…パネル裏面
１２１…操作子露出孔としてのパネルボタン挿通孔
１２２…付勢部である樹脂ばね
１２３…台座支持部
１４１…操作子台座としてのボタン台座
１４７…台座案内部
１４８…傾斜部としての傾斜面部
１５２…操作子としての操作ボタン
１７０…可動部
１８０…調整ねじ部材
１８１…ねじ溝
１８２…ねじ部
１８３…ねじ頭部
１９０…螺合連動移動部としてのスライド部材
【図１】
2009146814.tif 000003
【図２】
2009146814.tif 000004
【図３】
2009146814.tif 000005
【図４】
2009146814.tif 000006
【図５】
2009146814.tif 000007
【図６】
2009146814.tif 000008